(57)【要約】この空気調和機は、筒状ケーシング１９内の、室内熱交換器１と、ドレンパン５と、外気を室内熱交換器１に送る室内送風機４と、室内熱交換器１下流側の加湿器１０と、加湿器１０に給水する給水設備２６と、外気温度センサー６と、吹出し空気温度を検出する吹出し温度センサー７と、冷媒回路２２と、吹出し空気温度を制御する吹出し空気温度制御手段２３と、被空調空間の湿度が設定湿度に達したときに加湿器１０への給水を停止させる現地調達のヒューミディスタット１２と、設定温度の更新履歴、外気温度の単位時間あたりの温度変化量などに基づいて加湿器１０の作動停止状態を検知する加湿器停止検知手段と、を備えている。
2016120903.tif 000002
【特許請求の範囲】
【請求項１】
空気吸込み口および空気吹出し口を有する筒状ケーシングと、前記筒状ケーシング内に配備された室内熱交換器と、前記筒状ケーシング内に配置されて前記室内熱交換器からのドレン水を収受するドレンパンと、前記筒状ケーシングの空気吸込み口から外気を吸い込んで前記室内熱交換器に送る室内送風機と、前記筒状ケーシング内で前記室内熱交換器よりも送風方向下流側に配備された加湿器と、前記加湿器に給水する給水設備と、前記筒状ケーシングの空気吸込み口から吸い込まれる外気の温度を検出する外気温度センサーと、前記筒状ケーシングの空気吹出し口から吹き出される吹出し空気の温度を検出する吹出し温度センサーと、を有して成る室内機と、
圧縮機、室外熱交換器、弁開度可変の電子膨張弁および前記室内熱交換器が当該記載順で環状に接続されて成る冷媒回路と、
前記吹出し温度センサーにより検出された吹出し空気の温度を、予め設定されている目標の設定温度に近づけるように前記冷媒回路を制御する吹出し空気温度制御手段と、
前記室内機の設置現地で調達され、前記空気吹出し口からの吹出し空気の湿度を検出し、検出した湿度が予め設定されている設定湿度に達したときに、前記給水設備による前記加湿器への給水を停止させるヒューミディスタットと、
前記設定温度の更新履歴、前記外気温度の単位時間あたりの温度変化量、または、前記吹出し空気温度と設定温度との温度差に基づいて、前記ヒューミディスタットによる前記加湿器の作動停止状態を検知する加湿器停止検知手段と、を備えていることを特徴とする空気調和機。
【請求項２】
加湿器停止検知手段が、吹出し温度センサーにより検出された吹出し空気温度の単位時間あたりの温度変化量も加味して、ヒューミディスタットによる加湿器の作動停止状態を検知することを特徴とする請求項１に記載の空気調和装置。
【請求項３】
加湿器停止検知手段により前記作動停止状態が検知されたときに、前記電子膨張弁の弁開度を定常時の開度幅よりも大きくさせる膨張弁制御手段を、備えていることを特徴とする請求項１または請求項２に記載の空気調和機。
【発明の詳細な説明】
【技術分野】
【０００１】
この発明は、外気に吹出し空気温度制御を施して室内に供給する空気調和機に関するものである。
【背景技術】
【０００２】
従来、この種の空気調和機は、圧縮機、室外熱交換器、弁開度可変の電子膨張弁(以下、ＬＥＶと略称することがある) 、および室内熱交換器から構成される冷媒回路を備えており、その冷媒回路に冷媒を循環させているものが知られている。この空気調和機において、冷房運転では、室内熱交換器が蒸発器となって冷媒を蒸発させ、その蒸発潜熱により空気吸込み口からの外気から熱を奪って冷風とし室内に供給している。一方、暖房運転時には、冷房運転時とは逆に室外熱交換器で外気から潜熱を奪って蒸発した冷媒が室内熱交換器で凝縮放熱する。そして、冷房運転時に生じる室内熱交換器のドレン水および暖房運転時の加湿器の余剰水はドレンパンに溜まり、ドレンアップメカまたは自然排水口により機外へ排水されるようになっている。【０００３】
ところで、吹出し空気温度制御を行なう外気処理型の空気調和機においては、予めリモートコントローラから設定入力されている吹き出し空気温度に関する設定温度Ｔ０と、外気温度センサーにより検出された外気温度Ｔ１との温度差ΔＴ（＝Ｔ０−Ｔ１）を小さくするように、圧縮機の容量または電子膨張弁の弁開度が制御される。あるいは、下記の特許文献１のように、吹き出し温度センサーにより検出された吹き出し空気温度がその設定温度よりも低いときに、室内機の送風機の送風量を小さくし、その後、検出された吹き出し空気温度が設定温度に達したときに通常規定の送風量に戻すようにする空気調和機も知られている。他方で、室内熱交換器の風路二次側に加湿器が設置され、この加湿器に給水電磁弁を通じて給水がなされる空気調和機も知られている。この空気調和機では、一部の顕熱が加湿に伴う気化熱で潜熱に置き換わる。そこで、吹き出し空気の過加湿を防止するために、給水電磁弁の電気経路にヒューミディスタット（湿度調節器）が接続され、被空調空間の相対湿度がヒューミディスタットの設定湿度以上になったときに給水電磁弁を電気的に遮断して閉じるようになっている。
【先行技術文献】
【特許文献】
【０００４】
【特許文献１】特開昭６０−１４７０５０号公報
【発明の概要】
【発明が解決しようとする課題】
【０００５】
上記した従来の外気処理型の空気調和機において、ヒューミディスタットは現地での手配により設置されるが、この空気調和機はＯＮ／ＯＦＦ信号をヒューミディスタットに取り込めないため、そのＯＮ／ＯＦＦ信号を直接検知することができない。そして、現地設置型のヒューミディスタットであれば、そのヒューミディスタットにより加湿器への給水が停止されると、全熱量中の潜熱分が減って顕熱分が増えるため、吹出し空気温度が上がる。このときの室内機側の制御としては、電子膨張弁を閉じる方向に制御して冷媒循量を減らすことで吹出し空気温度を下げる動作をさせる。しかしながら、「外気温度の変化量＜＜加湿器停止による吹出し空気温度の上昇」であることから、制御が追従できない場合が多々ある。そのために、一時的ではあるが、吹出し空気温度が設定温度以上に上昇し、吹出し空気温度の安定性が乱れる。これを抑制するためには、温度差ΔＴに対応する電子膨張弁の弁開度の変化量を著しく大きくし、外乱に対する応答性を高める方法が考えられる。しかしながら、過渡応答がよくなる反面、平衡時の安定性が悪くなるという問題を生じる。【０００６】
この発明は、上記のような問題点を解消するためになされたもので、ヒューミディスタットにより加湿器が作動停止状態にあることを間接的に検知することで、吹出し空気温度制御の安定性を向上させるようにした空気調和機を得るものである。
【課題を解決するための手段】
【０００７】
この発明に係る空気調和機は、空気吸込み口および空気吹出し口を有する筒状ケーシングと、筒状ケーシング内に配備された室内熱交換器と、筒状ケーシング内に配置されて室内熱交換器からのドレン水を収受するドレンパンと、筒状ケーシングの空気吸込み口から外気を吸い込んで室内熱交換器に送る室内送風機と、筒状ケーシング内で室内熱交換器よりも送風方向下流側に配備された加湿器と、加湿器に給水する給水設備と、筒状ケーシングの空気吸込み口から吸い込まれる外気の温度を検出する外気温度センサーと、筒状ケーシングの空気吹出し口から吹き出される吹出し空気の温度を検出する吹出し温度センサーと、を有して成る室内機と、圧縮機、室外熱交換器、弁開度可変の電子膨張弁および室内熱交換器が当該記載順で環状に接続されて成る冷媒回路と、吹出し温度センサーにより検出された吹出し空気の温度を、予め設定されている目標の設定温度に近づけるように冷媒回路を制御する吹出し空気温度制御手段と、室内機の設置現地で調達され、空気吹出し口からの吹出し空気の湿度を検出し、検出した湿度が予め設定されている設定湿度に達したときに、給水設備による加湿器への給水を停止させるヒューミディスタットと、設定温度の更新履歴、外気温度の単位時間あたりの温度変化量、または、吹出し空気温度と設定温度との温度差に基づいて、ヒューミディスタットによる加湿器の作動停止状態を検知する加湿器停止検知手段と、を備えているものである。
【発明の効果】
【０００８】
この発明の空気調和機は、吹出し温度センサー、外気温度センサーなどから取り入れた検出値を処理した演算結果を基に電子膨張弁を制御するように構成したので、外気処理型の空気調和機の暖房運転時の吹出し空気温度について、現地で調達したヒューミディスタットによる加湿器の強制加湿停止状態に起因する吹出し空気の温度上昇を間接的に検知することができる。これにより、吹出し空気温度制御の安定性向上に利用できるという効果を有する。
【図面の簡単な説明】
【０００９】
【図１】この発明の実施の形態１における空気調和機の概略を示す概略構成図である。
【図２】前記空気調和機の制御系統を示すシステム構成図である。
【図３】前記空気調和機の制御手順を示すフローチャートの図である。
【図４】前記空気調和機の制御による吹出し空気温度および電子膨張弁の弁開度に関するそれぞれの経時変化を示すグラフの図である。
【発明を実施するための形態】
【００１０】
実施の形態１．
図１はこの発明の実施の形態１における空気調和機のシステム構成を示すものである．
図において、この空気調和機は、室内機１７と、室外機１８と、室内機１７の設置現地で別に取付けされるヒューミディスタット１２と、から構成されている。前記の室内機１７は、空気吸込み口２０および空気吹出し口２１を有する筒状ケーシング１９と、筒状ケーシング１９の風路内に配備された室内熱交換器１と、筒状ケーシング１９内で室内熱交換器１の下方位置に配置されて室内熱交換器１からのドレン水を収受するドレンパン５と、ドレンパン５内に収受されたドレン水を排水するドレンアップメカ９と、筒状ケーシング１９の空気吸込み口２０から外気を吸い込んで室内熱交換器１に送る室内送風機４と、筒状ケーシング１９内で室内熱交換器１よりも送風方向下流側（二次側）に配備された加湿器１０と、給水管３および給水電磁弁１１から構成されていて加湿器１０に給水する給水設備２６と、筒状ケーシング１９の空気吸込み口２０から吸い込まれる外気の温度を検出する外気温度センサー６と、筒状ケーシング１９の空気吹出し口２１から吹き出される吹出し空気の温度を検出する吹出し温度センサー７と、を有している。更に、室内機１７は、空気吹出し口２１からの吹出し空気の制御目標となる設定温度を設定入力するためのリモートコントローラ８と、電子膨張弁２、給水電磁弁１１、室内送風機４などを駆動制御する室内機制御装置１６と、を備えている。
【００１１】
前記の室外機１８は、冷媒を圧縮して吐出する圧縮機１３、室外熱交換器１５、および室外送風機１４を有している。そして、冷媒回路２２は、圧縮機１３、室外熱交換器１５、弁開度可変の電子膨張弁２（ＬＥＶ）、および室内熱交換器１を、これらの記載順で冷媒配管を介して環状に接続して構成されている。
前記のヒューミディスタット１２は、空気吹出し口２１からの吹出し空気の湿度を検出し、検出した湿度が予め設定されている設定湿度に達したときに、給水設備２６の給水電磁弁１１を閉止して加湿器１０への給水を停止させるようになっている。
【００１２】
この空気調和機の制御系統を図２に示す。室内機制御装置１６は、演算ユニットＣＰＵ、不揮発性のメモリＭ、処理時間その他を計時するタイマＴ、汎用のデータバス（図示省略）、および、入出力ポート（図示省略）などを備えている。そして、データバスの入力側には、外気温度センサー６、吹出し温度センサー７、リモートコントローラ８からの信号を取り込むための入力手段がそれぞれ接続されている。データバスの出力側には、圧縮機１３、室外送風機１４、室内送風機４、電子膨張弁２、ドレンアップメカ９、給水電磁弁１１などを駆動するための出力手段がそれぞれ接続されている。
【００１３】
前記の演算ユニットＣＰＵは、後で詳述する、吹出し空気温度制御手段２３、加湿器停止検知手段２４、および膨張弁制御手段２５の各機能をプログラムソフトウェアとして備えている。これらの各機能はプログラムデータとして予めメモリＭに格納されており、必要に応じてメモリＭから取り出され演算ユニットＣＰＵで使用される。また、メモリＭには、リモートコントローラ８から設定入力された、吹出し空気温度に関する設定温度データ、温度差設定データ（１℃、２℃、３℃など）、設定時間データ（１分、３０分など）などが予め格納されており、外気温度センサー６により検出された外気温度の履歴データ、吹出し温度センサー７により検出された吹出し空気温度の履歴データなどが逐次格納される。
【００１４】
次に動作について説明する。
上記のように構成された空気調和機において、冷房運転時は、室内熱交換器１が蒸発器となって冷媒を蒸発させ、その蒸発潜熱により空気吸込み口２０からの外気から熱を奪って冷風とし、この冷風を空気吹出し口２１から室内に供給している。一方、暖房運転時には、冷房運転時とは逆に凝縮器としての室外熱交換器１５で外気から潜熱を奪って蒸発した冷媒が室内熱交換器１で凝縮放熱する。そして、冷房運転時に生じる室内熱交換器１のドレン水および暖房運転時の加湿器１０の余剰水はドレンパン５に溜まり、ドレンアップメカ９または自然排水口により機外へ排水される。このとき、室外熱交換器１５では、冷媒が潜熱を外気に放熱して液化し、再び電子膨張弁２を経て室内熱交換器１に供給されるようになっている。
【００１５】
外気処理で吹出し空気温度制御を行なう室内機制御装置１６において、室内機１７では、リモートコントローラ８による設定温度Ｔ０と、外気温度センサー６からの外気温度Ｔ１との温度差Ｔ０−Ｔ１＝ΔＴを小さくするように、圧縮機１３の運転容量または電子膨張弁２の弁開度が制御される。通常、室内熱交換器１の風路二次側に設置されている気化式の加湿器１０には、給水設備２６の給水管３および給水電磁弁１１を通じて給水がなされる。このとき、吹出し空気に含まれている顕熱の一部は加湿に伴う気化熱で潜熱に置き換わる。そこで、吹出し空気の過加湿を防止するため、給水電磁弁１１の電気経路に接続されているヒューミディスタット１２は、被空調空間の相対湿度がヒューミディスタット１２の設定湿度以上になると、給水電磁弁１１を電気的に遮断して閉じさせるようにしている。一方、演算ユニットＣＰＵの吹出し空気温度制御手段２３の機能は、メモリＭから読みだしたプログラムに従って、吹出し温度センサー７により検出された吹出し空気の温度を、予め設定されている制御目標の設定温度に近づけるように、冷媒回路２２の電子膨張弁２、室内送風機４、圧縮機１３、室外送風機１４などを駆動制御する。
【００１６】
ところで、加湿器１０は給水電磁弁１１が閉止されても、加湿器１０のエレメント表面に水分が残っているので、それらが蒸散しているうちは吹き出し温度がほとんど変化しない。そのうち、加湿器１０の水分が減少するにつれて吹き出し温度が上昇することが、吹き出しセンサー７の検出値に基づいて検知される。
そこで、下記する（１）〜（３）の条件がＡＮＤで成立する場合に、現地調達のヒューミディスタット１２による加湿器１０の作動停止状態であると判断する。
・条件（１）設定温度が３０分以上変更されていない；
・条件（２）外気温度(吸込み空気温度)の単位時間あたりの変化量ΔＴｏｕｔが１℃未満である；
・条件（３）吹出し空気温度と設定温度との温度差が２℃未満を３０分以上継続しているである。；
更に、付加条件として、次の（４）の条件が加味される。
・条件（４）吹出し空気温度の時間あたりの変化量が３℃以上になった場合；
である。
【００１７】
続いて、この実施形態に係る空気調和機の特徴的な制御を、図３も併用して説明する。
まず、リモートコントローラ８から設定入力される吹出し空気温度の設定温度が３０分の間に変更されているか否かが室内機制御装置１６の演算ユニットＣＰＵにより判断される（ステップＳ１）。タイマＴによる経時が３０分以上経過しても設定温度の変更がなければ（Ｙ；条件（１））、ステップＳ２にて、外気温度センサー６により検出された外気温度が３０分間観測される。この３０分間あたりの外気温度の変化量△Ｔｏｕｔが１℃以上であれば（Ｎ）、ステップＳ１に戻る。ステップＳ２で外気温度の変化量△Ｔｏｕｔが１℃未満であれば（Ｙ；条件（２））、ステップＳ３にて、吹出し温度センサー７により検出された吹出し空気温度とリモートコントローラ８から設定されている設定温度との温度差が判断される。検出された吹出し空気温度と設定温度との温度差が２℃以上かつその持続時間が３０分間未満であれば（Ｎ）、ステップＳ１に戻る。
【００１８】
そうして、ステップＳ３で吹出し空気温度と設定温度との温度差が２℃未満かつ持続時間が３０分間以上であれば（Ｙ；条件（３））、ステップＳ４にて、吹出し温度センサー７により或る時点で検出された吹出し空気温度Ｔ１と、その時点から１分間後に検出された吹出し空気温度Ｔ２との変化量が判断される。その温度の変化量が３℃未満であれば（Ｎ、または弁開度幅増大後）、ステップＳ１に戻る。ステップＳ４でその温度の変化量が３℃以上であれば（Ｙ；条件（４））、演算ユニットＣＰＵは、現地設置のヒューミディスタット１２の作動による加湿器１０の作動状態が停止状態（ＯＦＦ）にあると判定する（ステップＳ５）。すなわち、演算ユニットＣＰＵにおける加湿器停止検知手段２４の機能は、設定温度の更新履歴、検出された外気温度の単位時間あたりの温度変化量、または、検出された吹出し空気温度と設定温度との温度差に基づき、更に、吹出し温度センサー７により検出された吹出し空気温度の単位時間あたりの温度変化量も加味して、ヒューミディスタット１２による加湿器１０の作動停止状態を間接的に検知する。
【００１９】
そこで、室内機制御装置１６は電子膨張弁２の弁開度を強制的に定常時の弁開度の２倍にして運転する（ステップＳ５）。すなわち、演算ユニットＣＰＵにおける膨張弁制御手段２５の機能は、加湿器停止検知手段２４により作動停止状態が検知されたときに、電子膨張弁２の弁開度を定常時の開度幅よりも大きくさせるのである。すなわち、膨張弁制御手段２５の機能は、加湿器停止検知手段２４により作動停止状態が検知されたときに、電子膨張弁２の弁開度の増減幅を、一時的に定常時の開度変更幅の２倍に強制的に大きくさせる。そうして、電子膨張弁２の強制的開弁運転が３０分間続けられると（ステップＳ７のＹ）、ステップＳ８にて、吹出し温度センサー７により検出された吹出し空気温度と、リモートコントローラ８からの設定温度との温度差が判断される。検出された吹出し空気温度と設定温度との温度差が２℃未満であれば（Ｙ）、加湿器作動状態判定処理が解除されるのである（ステップＳ９）。
【００２０】
ここで、図４は本実施形態の空気調和機の制御による吹出し空気温度および電子膨張弁の弁開度に関するそれぞれの経時変化を示している。
一般に、外気温度の変化量よりも加湿器停止による吹出し空気温度の上昇のほうが大きくなることから（図４中の破線で示す吹出し空気温度の挙動）、本実施形態の制御を行なわなかった場合は、電子膨張弁２の制御が追従できず図４中の破線で示すような弁開度挙動を示す。そのために、一時的ではあるが、吹出し空気温度が設定温度以上に上昇することがあり、吹出し空気温度の安定性が乱れる。それに対し、本実施形態における加湿器１０の作動状態検知および電子膨張弁２の強制的開度操作に関する制御（図４中の実線で示す電子膨張弁２の弁開度挙動）を行なうと、吹出し空気温度の上昇が図４中の実線で示すように抑えられている。
【００２１】
以上のように、この空気調和機は、吹出し温度センサー７、外気温度センサー６などから取り入れた検出値を処理した演算結果を基に、室内機制御装置１６が電子膨張弁２を強制的に制御するように構成したので、外気処理型である空気調和機であり、かつ、現地調達のヒューミディスタット１２を用いるものでありながら、ヒューミディスタット１２による加湿器１０への強制作動停止状態状態（ＯＦＦ）を間接的に検知することができる。そして、一時的に電子膨張弁２の弁開度の変化量を適切に大きくすることで、吹出し空気温度の急な上昇を抑えることができる。これにより吹出し空気温度制御の安定性を向上化させることができる。
【００２２】
尚、上記の実施形態では、吹出し温度センサー７により検出された吹出し空気温度の単位時間あたりの温度変化量も加味して（図３のステップＳ４（条件（４））、ヒューミディスタット１２による加湿器１０の作動停止状態を検知するようにしたが、本発明に係る空気調和機はそれに限定されるものでない。例えば、図３のフローチャート中に１点鎖線で示しているように、ステップＳ４を省略し、ステップＳ１（条件（１））、ステップＳ２（条件（２））、およびステップＳ３（条件（３））のみで、ヒューミディスタット１２による加湿器１０の作動停止状態を検知するようにしたものであっても、検知精度はいくぶん小さくなるが、使用に足る検知精度で加湿器１０の作動停止状態を検知することができる。
【符号の説明】
【００２３】
１  室内熱交換器
２  電子膨張弁
３  給水管
４  室内送風機
５  ドレンパン
６  外気温度センサー
７  吹出し温度センサー
８  リモートコントローラ
９  ドレンアップメカ
１０  加湿器
１１  給水電磁弁
１２  ヒューミディスタット
１３  圧縮機
１４  室外送風機
１５  室外熱交換器
１６  室内機制御装置
１７  室内機
１８  室外機
１９  筒状ケーシング
２０  空気吸込み口
２１  空気吹出し口
２２  冷媒回路
２３  吹出し空気温度制御手段
２４  加湿器停止検知手段
２５  膨張弁制御手段
ＣＰＵ  演算ユニット
Ｍ  メモリ
Ｔ  タイマ
【図１】
2016120903.tif 000003
【図２】
2016120903.tif 000004
【図３】
2016120903.tif 000005
【図４】
2016120903.tif 000006
【手続補正書】
【提出日】平成29年3月28日(2017.3.28)
【手続補正１】
【補正対象書類名】明細書
【補正対象項目名】０００７
【補正方法】変更
【補正の内容】
【０００７】
この発明に係る空気調和機は、空気吸込み口および空気吹出し口を有する筒状ケーシングと、筒状ケーシング内に配備された室内熱交換器と、筒状ケーシング内で室内熱交換器よりも送風方向下流側に配備された加湿器と、加湿器に給水する給水設備と、筒状ケーシングの空気吸込み口から吸い込まれる外気の温度を検出する外気温度センサーと、筒状ケーシングの空気吹出し口から吹き出される吹出し空気の温度を検出する吹出し温度センサーと、を有して成る室内機と、圧縮機、室外熱交換器、弁開度可変の電子膨張弁および室内熱交換器が当該記載順で環状に接続されて成る冷媒回路と、吹出し温度センサーにより検出された吹出し空気の温度を、予め設定されている目標の設定温度に近づけるように冷媒回路を制御する吹出し空気温度制御手段と、空気吹出し口からの吹出し空気の湿度を検出し、検出した湿度が予め設定されている設定湿度に達したときに、給水設備による加湿器への給水を停止させるヒューミディスタットと、設定温度の更新履歴、外気温度の単位時間あたりの温度変化量、または、吹出し空気温度と設定温度との温度差に基づいて、ヒューミディスタットによる加湿器の作動停止状態を検知する加湿器停止検知手段と、を備えているものである。
【手続補正２】
【補正対象書類名】特許請求の範囲
【補正対象項目名】全文
【補正方法】変更
【補正の内容】
【特許請求の範囲】
【請求項１】
空気吸込み口および空気吹出し口を有する筒状ケーシングと、前記筒状ケーシング内に配備された室内熱交換器と、前記筒状ケーシング内で前記室内熱交換器よりも送風方向下流側に配備された加湿器と、前記加湿器に給水する給水設備と、前記筒状ケーシングの空気吸込み口から吸い込まれる外気の温度を検出する外気温度センサーと、前記筒状ケーシングの空気吹出し口から吹き出される吹出し空気の温度を検出する吹出し温度センサーと、を有して成る室内機と、
圧縮機、室外熱交換器、弁開度可変の電子膨張弁および前記室内熱交換器が当該記載順で環状に接続されて成る冷媒回路と、
前記吹出し温度センサーにより検出された吹出し空気の温度を、予め設定されている目標の設定温度に近づけるように前記冷媒回路を制御する吹出し空気温度制御手段と、
前記空気吹出し口からの吹出し空気の湿度を検出し、検出した湿度が予め設定されている設定湿度に達したときに、前記給水設備による前記加湿器への給水を停止させるヒューミディスタットと、
前記設定温度の更新履歴、前記外気温度の単位時間あたりの温度変化量、または、前記吹出し空気温度と設定温度との温度差に基づいて、前記ヒューミディスタットによる前記加湿器の作動停止状態を検知する加湿器停止検知手段と、を備えていることを特徴とする空気調和機。
【請求項２】
前記室内機は、前記筒状ケーシング内に配置されて前記室内熱交換器からのドレン水を収受するドレンパンと、前記筒状ケーシングの空気吸込み口から外気を吸い込んで前記室内熱交換器に送る室内送風機と、をさらに有し、
前記ヒューミディスタットは、前記室内機の設置現地で調達されることを特徴とする請求項１に記載の空気調和機。
【請求項３】
加湿器停止検知手段が、吹出し温度センサーにより検出された吹出し空気温度の単位時間あたりの温度変化量も加味して、ヒューミディスタットによる加湿器の作動停止状態を検知することを特徴とする請求項１または２に記載の空気調和機。
【請求項４】
加湿器停止検知手段により前記作動停止状態が検知されたときに、前記電子膨張弁の弁開度を定常時の開度幅よりも大きくさせる膨張弁制御手段を、備えていることを特徴とする請求項１〜３のいずれか一項に記載の空気調和機。
【国際調査報告】
2016120903.tif 000007
2016120903.tif 000008